【手続補正書】
【提出日】平成16年11月24日(2004.11.24)
【手続補正１】
【補正対象書類名】明細書
【補正対象項目名】特許請求の範囲
【補正方法】変更
【補正の内容】
【特許請求の範囲】
【請求項１】
表示状態が変化可能な複数の表示領域を有する可変表示部を含み、変動開始の条件の成立に応じて前記表示領域に表示される図柄の変動を開始し、確定図柄があらかじめ定められた特定表示態様となったとき遊技者に所定の遊技価値が付与可能となる遊技機であって、
遊技の進行を制御する遊技制御手段が搭載された遊技制御基板と、前記可変表示部の表示状態を制御する表示制御手段が搭載された表示制御基板とを備え、
前記遊技制御手段は、
図柄の変動を開始させるときに変動時間および確定図柄を特定可能な情報を前記表示制御手段に対して送出し、前記変動時間が経過したら図柄停止を指示する確定コマンドを前記表示制御手段に対して送出し、
遊技機に対する電源断時にその後電源状態が復旧したときに行う遊技状態復帰のために必要な情報を電源断中でも記憶を保持可能なバックアップ記憶手段に記憶し、
前記可変表示部で可変表示中に電源断が発生し、その後電源が復旧したときは、前記表示制御基板に対して復帰時変動中コマンドを送出し、前記変動時間が経過したら前記表示制御基板に対して前記確定コマンドおよび確定図柄を示す情報を送出し、
前記表示制御手段は、
変動時間を特定可能な情報の受信により図柄の変動を行い、前記確定コマンドを受信したときに図柄の変動を停止して確定図柄を表示し、
前記復帰時変動中コマンドを受信すると通常の変動表示とは異なる復帰時表示画面を表示して確定コマンドの受信待ち状態となり、該受信待ち状態であるときに前記確定コマンドを受信したことにもとづいて前記復帰時表示画面の表示を終了し、受信した確定図柄を示す情報にもとづいて確定図柄を表示する
ことを特徴とする遊技機。
【請求項２】
遊技制御基板には遊技機に供給される電源の電圧低下を監視する電源電圧監視手段が搭載され、
遊技制御手段は遊技制御マイクロコンピュータを含み、
前記電源電圧監視手段の出力が前記遊技制御マイクロコンピュータの割込端子に導入され、
前記遊技制御マイクロコンピュータは、割込端子への信号入力に応じて遊技制御に必要なデータの退避を含む電源断時処理を行う
請求項１記載の遊技機。
【請求項３】
遊技制御手段は、賞球装置を駆動制御するための賞球制御手段が搭載された賞球制御基板に対して入賞球の発生に応じて賞球数を特定可能な賞球情報を出力し、割込端子への信号入力時に賞球情報を出力中であればその出力を完了させてから電源断時処理を実行する
請求項２記載の遊技機。
【請求項４】
遊技制御マイクロコンピュータは、電源断時処理を行うときに電源断時処理を行ったことを示すフラグをセットし、電源が回復したときに前記フラグがセットされていたらデータ復帰処理を行う
請求項２または請求項３記載の遊技機。
【請求項５】
遊技制御マイクロコンピュータは、電源断時処理を行うときに電源断時処理を行ったことを示すフラグをセットし、電源断時処理中に電源が回復したら前記フラグをリセットして電源断前の遊技状態に復帰する
請求項２ないし請求項４記載の遊技機。
【請求項６】
バックアップ記憶手段は、電源断時にも所定時間だけ電力供給可能な非常時電力供給手段によってＲＡＭへの電力供給がなされることによって実現される
請求項１ないし請求項５記載の遊技機。
【手続補正２】
【補正対象書類名】明細書
【補正対象項目名】００１４
【補正方法】変更
【補正の内容】
【００１４】
【課題を解決するための手段】
本発明による遊技機は、表示状態が変化可能な複数の表示領域を有する可変表示部を含み、変動開始の条件の成立に応じて表示領域に表示される図柄の変動を開始し、確定図柄があらかじめ定められた特定表示態様となったとき遊技者に所定の遊技価値が付与可能となる遊技機であって、遊技の進行を制御する遊技制御手段が搭載された遊技制御基板と、可変表示部の表示状態を制御する表示制御手段が搭載された表示制御基板とを備え、遊技制御手段は、図柄の変動を開始させるときに変動時間および確定図柄を特定可能な情報を表示制御手段に対して送出し、変動時間が経過したら図柄停止を指示する確定コマンドを表示制御手段に対して送出し、遊技機に対する電源断時にその後電源状態が復旧したときに行う遊技状態復帰のために必要な情報を電源断中でも記憶を保持可能なバックアップ記憶手段に記憶し、可変表示部で可変表示中に電源断が発生し、その後電源が復旧したときは、表示制御基板に対して復帰時変動中コマンドを送出し、変動時間が経過したら表示制御基板に対して確定コマンドおよび確定図柄を示す情報を送出し、表示制御手段は、変動時間を特定可能な情報の受信により図柄の変動を行い、確定コマンドを受信したときに図柄の変動を停止して確定図柄を表示し、復帰時変動中コマンドを受信すると通常の変動表示とは異なる復帰時表示画面を表示して確定コマンドの受信待ち状態となり、該受信待ち状態であるときに確定コマンドを受信したことにもとづいて復帰時表示画面の表示を終了し、受信した確定図柄を示す情報にもとづいて確定図柄を表示することを特徴とする。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００２１
【補正方法】変更
【補正の内容】
【００２１】
遊技機は、遊技制御マイクロコンピュータが、電源断時処理を行うときに電源断時処理を行ったことを示すフラグをセットし、電源が回復したときにそのフラグがセットされていたらデータ復帰処理を行うように構成されていてもよい。
【手続補正７】
【補正対象書類名】明細書
【補正対象項目名】０２０９
【補正方法】変更
【補正の内容】
【０２０９】
【発明の効果】
以上のように、本発明によれば、遊技機を、遊技制御手段が、図柄の変動を開始させるときに変動時間および確定図柄を特定可能な情報を表示制御手段に対して送出し、変動時間が経過したら図柄停止を指示する確定コマンドを表示制御手段に対して送出し、遊技機に対する電源断時にその後電源状態が復旧したときに行う遊技状態復帰のために必要な情報を電源断中でも記憶を保持可能なバックアップ記憶手段に記憶し、可変表示部で可変表示中に電源断が発生し、その後電源が復旧したときは、表示制御基板に対して復帰時変動中コマンドを送出し、変動時間が経過したら表示制御基板に対して確定コマンドおよび確定図柄を示す情報を送出し、表示制御手段は、変動時間を特定可能な情報の受信により図柄の変動を行い、確定コマンドを受信したときに図柄の変動を停止して確定図柄を表示し、復帰時変動中コマンドを受信すると通常の変動表示とは異なる復帰時表示画面を表示して確定コマンドの受信待ち状態となり、該受信待ち状態であるときに確定コマンドを受信したことにもとづいて復帰時表示画面の表示を終了し、受信した確定図柄を示す情報にもとづいて確定図柄を表示するように構成したので、停電等の不測の電源断が発生したときに、必要なデータを保存して電源復旧時に電源断時の状態から遊技を再開できるとともに、遊技再開時に、簡単な復帰制御によって各制御手段の制御状態を適正に復帰させることができる効果がある。
また、遊技制御手段が確定コマンドを送出し、かつ、各制御手段が確定コマンドに応じた制御を実行することによって、遊技制御手段および各制御手段の制御状態が確定コマンドによって再び同期するという効果がある。
また、特に図柄変動中の状態から、遊技制御手段および各制御手段の制御状態を確定コマンドによって再び同期するように制御することができる。
さらに、遊技者等が、電源断からの復帰時に制御が正常に戻ったことを確実に認識できる。
【手続補正８】
【補正対象書類名】明細書
【補正対象項目名】０２１０
【補正方法】削除
【補正の内容】
【手続補正９】
【補正対象書類名】明細書
【補正対象項目名】０２１１
【補正方法】削除
【補正の内容】
【手続補正１０】
【補正対象書類名】明細書
【補正対象項目名】０２１２
【補正方法】削除
【補正の内容】
【手続補正１１】
【補正対象書類名】明細書
【補正対象項目名】０２１６
【補正方法】変更
【補正の内容】
【０２１６】
遊技制御マイクロコンピュータが、電源断時処理を行うときに電源断時処理を行ったことを示すフラグをセットし電源が回復したときにそのフラグがセットされていたらデータ復帰処理を行うように構成されている場合には、データ退避処理を行ったことを示すフラグのオンオフに応じてデータ復帰処理を行うか否か判断することができ、保存されていたデータを電源復帰後に確実に活用することができる。